(57)【特許請求の範囲】
【請求項１】
上下方向に移動される構造物上面に取り付けた吊環に係合可能なフックを有し、当該フックを吊環に係合する向き、もしくは吊環から離脱する向きへと回動し得るようにビーム本体に枢支したアタッチメントのためのフック解放防止装置であって、構造物に上下移動可能に取り付けられて構造物上方に上端部分が突出し且つ下端が構造物着床対象面に当接し得る着床検出用のロッドと、このロッドの上端部分から吊環の近くへ延び且つ構造物上面に当接可能なブラケットと、このブラケットに装着され且つ前記アタッチメントのフックが係合可能な解放規制用のストッパとを備え、構造物下縁及びロッド下端のいずれもが着床対象面に当接している状態では、ブラケットが構造物上面から離れてストッパと吊環の双方にフックが係合離脱可能に、ストッパ及び吊環にフックが係合しているアタッチメントが下降中に構造物が停止した場合には、構造物上面にブラケットに当接するまでの間、フックとともにストッパが下降して当該フックの回動を規制するように構成したことを特徴とするフック解放防止装置。
【請求項２】
アタッチメントが下降中に構造物が停止した場合に、構造物上面に突き当たる下降規制用のストッパをビーム本体に設けた請求項１に記載のフック解放防止装置。
【請求項３】
アタッチメントが下降中に構造物が停止した場合に、ビーム本体下面に突き当たる下降規制用のストッパを構造物に設けた請求項１に記載のフック解放防止装置。
【発明の詳細な説明】
【技術分野】
【０００１】
本発明はフック解放防止装置に関するものである。
【背景技術】
【０００２】
角落しは、左右の門柱と鋼製構造物である複数の扉体とを主な構成要素として、水門の主ゲートの上流側至近に設けられる。
【０００３】
各門柱には、上下に延びる溝状の案内部が相対するように形作られ、扉体の幅は、前記案内部に扉体側縁部分が嵌まり込むように、両門柱の間隔に合わせてある。
【０００４】
すなわち、クレーンなどの揚重手段を用いて、門柱の案内部に扉体を順に落とし込んで所定の高さまで積み上げると、主ゲートの上流側で水路が閉鎖され、当該主ゲートの整備が行えるようになり、主ゲートの整備が完了した後、揚重手段によって門柱の案内部から扉体を順に引き上げると、角落しによる水路の閉鎖が解除される。
【０００５】
扉体の落とし込み・引き上げ作業の省力化を図るために、様々なアタッチメントが提案されている。
【０００６】
図３、図４はアタッチメントの一例であるリフティングビームを示すもので、扉体１の上面に取り付けてある門型形状の吊環２に係合可能なフック３と、揚重手段（図示せず）により昇降するビーム本体４とを有している。
【０００７】
フック３は上下に延びるシャンク（柄）５の下端にジョー（顎）６を連ねた略Ｊ字形状で、シャンク５の上端部分はピン７により前記ビーム本体４に枢支されている。
【０００８】
ジョー６の下辺は吊環２の上縁に接して滑動できるように、シャンク５側からジョー６の牙状突起に向けて斜め上方へと延びている。
【０００９】
更に、フック３を時計周りの向き、もしくは反時計周りの向きに選択的に付勢するための切換機構（図示せず）が、シャンク５上端に設けたクランク８にロッド９を介して連結してある。
【００１０】
切換機構は、例えば、下端部分がビーム本体４に枢支されて時計周りの向き、もしくは反時計周りの向きへ傾動するレバーにウエイトを付帯させた単純な構造で、当該レバーに上述したロッド９を介してクランク８を連結している。
【００１１】
つまり、レバーを直立位置から一側、あるいは他側に傾けると、フック３が時計周りの向き（吊環２に係合する向き）や反時計周りの向き（吊環２から離脱する向き）に選択的に付勢される。
【００１２】
また、ビーム本体４には、フック３が略真っ直ぐに垂下した位置から時計周りの向きへ進まないようにするための傾動防止用のストッパ１０が設けてあり、このストッパ１０にシャンク５が突き当たる（図３（ａ）参照）。
【００１３】
着床対象面１１に置かれている扉体１を吊り上げる場合は、切換機構によってフック３を時計周りの向きに付勢し、ビーム本体４を下降させるとジョー６の下辺が吊環２の上縁に接して滑動し、フック３が反時計周りの向きに傾動する。
【００１４】
ジョー６の牙状突起が吊環２の側面を経て（図３（ｂ）参照）切り欠き部分１２に到達した際に、切換機構の付勢力によりフック３が時計周りの向きに傾動し、ジョー６の牙状突起が吊環２の切り欠き部分１２を通り抜けるとともに、ジョー６全体が扉体１の上面に穿設してある開口１３に入ることになる（図３（ｃ）参照）。
【００１５】
この状態でビーム本体４を上昇させるとジョー６の上辺が吊環２の切り欠き部分１２の下縁に当接し、吊環２にフック３が係合した状態となり、扉体１が吊り上げられる（図４（ａ）参照）。
【００１６】
吊り上げられている扉体１を着床対象面１１に置く場合は、切換機構によってフック３を反時計周りの向きに付勢する。
【００１７】
このとき、扉体１の重量に起因した大きな摩擦力がジョー６の上面と吊環２の切り欠き部分１２の下縁との間に働き、ジョー６の牙状突起が吊環２の側面に相対しているので、吊環２からフック３が離脱することはない。
【００１８】
ビーム本体４を下降させると、扉体１の下縁が着床対象面１１に当接し、これに続いてジョー６の上辺が吊環２の切り欠き部分１２の下縁から離れる。
【００１９】
更に、切換機構の付勢力によりフック３が反時計周りの向きに傾動し、ジョー６の牙状突起が吊環２の切り欠き部分１２を通り抜けて、ジョー６が開口１３から扉体１の外部に出ることになり、吊環２からフック３が離脱する。
【００２０】
上述したアタッチメントに関する刊行物はないが、他方式のアタッチメントは刊行物に開示されている（例えば、特許文献１参照）。
【特許文献１】特開昭６１−２８６１０号公報
【発明の開示】
【発明が解決しようとする課題】
【００２１】
扉体１を着床対象面１１に置こうとするとき、すなわち、扉体１の吊環２にフック３が係合しているアタッチメントが下降中に、扉体１が門柱の案内部に引っ掛かって停止するジャミングが発生した場合、アタッチメントを直ちに停止させないと、ジョー６の上辺が吊環２の切り欠き部分１２の下縁から離れてしまうため、フック３が反時計周りの向きに傾動して、フック３が解放してしまう（図４（ｂ）参照）。
【００２２】
本発明は上述した実情に鑑みてなしたもので、扉体などの構造物が下降しているときにジャミングが発生しても、フックが直ちに解放しないようにすることを目的としている。
【課題を解決するための手段】
【００２３】
上記目的を達成するため、本発明は、上下方向に移動される構造物上面に取り付けた吊環に係合可能なフックを有し、当該フックを吊環に係合する向き、もしくは吊環から離脱する向きへと回動し得るようにビーム本体に枢支したアタッチメントのためのフック解放防止装置であって、構造物に上下移動可能に取り付けられて構造物上方に上端部分が突出し且つ下端が構造物着床対象面に当接し得る着床検出用のロッドと、このロッドの上端部分から吊環の近くへ延び且つ構造物上面に当接可能なブラケットと、このブラケットに装着され且つ前記アタッチメントのフックが係合可能な解放規制用のストッパとを備え、構造物下縁及びロッド下端のいずれもが着床対象面に当接している状態では、ブラケットが構造物上面から離れてストッパと吊環の双方にフックが係合離脱可能に、ストッパ及び吊環にフックが係合しているアタッチメントが下降中に構造物が停止した場合には、構造物上面にブラケットに当接するまでの間、フックとともにストッパが下降して当該フックの回動を規制するように構成している。
【００２４】
アタッチメントが下降中に構造物が停止した場合に、構造物上面に突き当たる下降規制用のストッパをビーム本体に設け構成、あるいは、ビーム本体下面に突き当たる下降規制用のストッパを構造物に設けた構成を採る。
【発明の効果】
【００２５】
本発明のフック解放防止装置によれば、下記のような優れた効果を奏し得る。
【００２６】
（１）下降中の構造物が停止した際には、着床検出用のロッドとともにフック解放規制用のストッパが下方へ移動するので、フックが直ちに解放してしまうことがない。
【００２７】
（２）構造物が着床対象面に当接すれば、着床検出用のロッドとともにフック解放規制用のストッパが上方へ移動するので、ストッパと吊環の双方にフックが係合離脱可能になる。
【００２８】
（３）ビーム本体と構造物との間の下降規制用のストッパを設けた構成を採れば、下降中の構造物が停止した際に、アタッチメントの下降を抑止することができる。
【発明を実施するための最良の形態】
【００２９】
以下、本発明の実施の形態を図面に基づき説明する。
【００３０】
図１、図２は本発明のフック解放防止装置の一例であって、扉体１を吊り上げるためのアタッチメントをはじめとして、図中、図３、図４と同一の符号を付した部分は同一物を表している。
【００３１】
フック解放防止装置は、扉体１を上下移動可能に貫通する着床検出用のロッド１４と、このロッド１４の上端部分から吊環２の近くへ延びるブラケット１５と、このブラケット１５に装着され且つアタッチメントのフック３が係合可能な解放規制用のストッパ１６とを備えている。
【００３２】
ロッド１４の基本的な長さは、ブラケット１５の下縁が扉体１の上面に当接した際に、ロッド１４の下端部分が扉体１の下方へと突出し、扉体１の下縁及びロッド１４の下端の双方が着床対象面１１に当接した際には、ストッパ１６の下縁が吊環２の切り欠き部分１２の下縁と略同じ高さに並ぶように設定され（図１（ａ）（ｂ）（ｃ）参照）、ロッド１４の下端部分には、ねじ棒を用いた高さ調節機構が組み込んである。
【００３３】
また、ブラケット１５の下縁は、ストッパ１６の下縁よりも上方に位置するように設定されている。
【００３４】
着床対象面１１に置かれている扉体１を吊り上げる場合は、切換機構によってフック３を時計周りの向きに付勢し、ビーム本体４を図１（ａ）の位置から下降させるとジョー６の下辺がストッパ１６の上縁に接して滑動し、フック３が反時計周りの向きに傾動する。
【００３５】
ジョー６の牙状突起がストッパ１６の側面から吊環２の側面を経て（図１（ｂ）参照）切り欠き部分１２に到達した際に、切換機構の付勢力によりフック３が時計周りの向きに傾動し、ジョー６の牙状突起が吊環２の切り欠き部分１２を通り抜けるとともに、ジョー６全体が扉体１の上面に穿設してある開口１３に入ることになる（図１（ｃ）参照）。
【００３６】
この状態でビーム本体４を上昇させるとジョー６の上辺が吊環２の切り欠き部分１２の上縁とストッパ１６の下縁に当接し、吊環２にフック３が係合した状態となり、扉体１が吊り上げられる（図２（ａ）参照）。
【００３７】
吊り上げられている扉体１を着床対象面１１に置く場合は、切換機構によってフック３を反時計周りの向きに付勢する。
【００３８】
ビーム本体４が下降しているとき、扉体１の重量に起因した大きな摩擦力がジョー６の上面と吊環２の切り欠き部分１２の上縁との間に働き、ジョー６の牙状突起がストッパ１６の側面に相対しているので、吊環２からフック３が離脱することはない。
【００３９】
ビーム本体４を下降させると、扉体１の下縁及びロッド１４の下端が着床対象面１１に当接し、これに続いてジョー６の上辺が吊環２の切り欠き部分１２の下縁とストッパ１６の下縁から離れる。
【００４０】
更に、切換機構の付勢力によりフック３が反時計周りの向きに傾動し、ジョー６の牙状突起が吊環２の切り欠き部分１２を通り抜けて、ジョー６が開口１３から扉体１の外部に出ることになり、吊環２からフック３が離脱する。
【００４１】
従前からフック３のジョー６との干渉を回避するために扉体１の上面に穿設されている開口１３は、必要に応じて省くことができる。
【００４２】
具体的には、吊環２の上下寸法を拡大することにより、切り欠き部分１２の上縁を図１、図２に示す位置よりも扉体１から離れるように上方へ移し、これに加えて、扉体１の下縁及びロッド１４の下端の双方が着床対象面１１に当接した状態で、ストッパ１６の下縁が吊環２の切り欠き部分１２の上縁と略同じ高さに並ぶようにロッド１４の長さ寸法を設定すれば、ストッパ１６の下縁及び吊環２の切り欠き部分１２の上縁と扉体１の上面との間隔が拡がり、開口１３を穿設しなくても、吊環２にフック３が係合離脱できる。
【００４３】
扉体１を着床対象面１１に置こうとするとき、すなわち、扉体１の吊環２にフック３が係合しているアタッチメントが下降中に、扉体１が門柱の案内部に引っ掛かって停止するジャミングが発生した場合、扉体１の重量に起因した摩擦力がジョー６と吊環２との間に働かなくなるとともに、ジョー６の上辺が吊環２の切り欠き部分１２の下縁から離れるため（図２（ｂ）参照）、切換機構の付勢力によりフック３が反時計周りの向きに傾動しようとする。
【００４４】
だが、ロッド１４は自重で下方へ移動するので、当該ロッド１４にブラケット１５を介して装着されているストッパ１６は、その側面にジョー６の牙状突起が当接した状態でアタッチメントとともに下降し、フック３は直ちに解放しない（図２（ｃ）参照）。
【００４５】
扉体１を着床対象面１１に置く作業の実施時には、扉体１やビーム本体４の挙動を係員が監視しているので、扉体１が停止した後、ロッド１４が下降し続けている間に揚重手段を緊急停止させる手配を採れば、アタッチメントの下降を中断できる。
【００４６】
また、従前のように扉体１の上面に開口１３を穿設しておき、吊環２の切り欠き部分１２の上縁を図１、図２に示す位置よりも扉体１から離れるように上方へ移し、扉体１の下縁及びロッド１４の下端の双方が着床対象面１１に当接した状態で、ストッパ１６の下縁が吊環２の切り欠き部分１２の上縁と略同じ高さに並ぶようにロッド１４の長さ寸法を設定するという構成を採れば、扉体１にジャミングが発生した後、フック３がストッパ１６から外れてしまうまでのアタッチメントの下降距離が長くなる。
【００４７】
また、ビーム本体４に下方に向けて突出する下降規制用のストッパ１７を別途に設け、前述のジャミング停止時に、例えば、ブラケット１５が扉体１の上面に当接するのと同時にストッパ１７の下端が扉体１の上面に突き当たるようにする、という構成、もしくは、この反対に、ストッパ１７を扉体１の上面に設けて、ストッパ１７の上端でビーム本体４を受けるようにする、という構成で、扉体１に対するアタッチメントの接近限界を管理し、フック３の離脱を防ぐことがでる（図２（ｃ）参照）。
【００４８】
なお、本発明のフック解放防止装置は、上述した実施の形態のみに限定されるものではなく、本発明の要旨を逸脱しない範囲において変更を加え得ることは勿論である。
【産業上の利用可能性】
【００４９】
本発明のフック解放防止装置は、既設の水門にも適用することができる。
【図面の簡単な説明】
【００５０】
【図１】本発明のフック解放防止装置の一例を適用した扉体が着床対象面に置かれている状態を示す概念図である。
【図２】図１の扉体が着床対象面から離れた状態を示す概念図である。
【図３】アタッチメントと着床対象面に置かれた状態の扉体を示す概念図である。
【図４】アタッチメントと着床対象面から離れた状態の扉体を示す概念図である。
【符号の説明】
【００５１】
１  扉体（構造物）
２  吊環
３  フック
４  ビーム本体
１４  ロッド
１５  ブラケット
１６  ストッパ（解放規制用）
１７  ストッパ（下降規制用）
【図１】
0005044804.tif 000002
【図２】
0005044804.tif 000003
【図３】
0005044804.tif 000004
【図４】
0005044804.tif 000005